(57)【要約】【課題】送受信の感度の悪化を防ぐことができ、筐体が大型化することを抑えることで見た目がスマートになり、しかも、機器への設置がしやすいアンテナを提供する。【解決手段】長手方向の先端側部位１５の厚さ寸法が、長手方向の基端側部位１３の厚さ寸法よりも小さくなっている筐体７と、導電性素子２３，２５が設けられ、長手方向の先端が、筐体の長手方向の先端側であって筐体の厚さ方向の一端側に位置し、長手方向の基端が、筐体の長手方向の基端側であって筐体の厚さ方向の他端側に位置して、筐体の内部に設けられた基板９と、ケーブル２７が筐体の厚さ方向で基板とは反対側に位置して筐体の内部で延伸しているケーブル組立体１１とを有するアンテナ１である。【選択図】図６
2014131196.tif 000002
【特許請求の範囲】
【請求項１】
長手方向の先端側部位の厚さ寸法が、長手方向の基端側部位の厚さ寸法よりも小さくなっている筐体と、
長手方向の先端側に第１の導電性素子が設けられ、長手方向の基端側に第２の導電性素子が設けられ、長手方向の先端が、前記筐体の長手方向の先端側であって前記筐体の厚さ方向の一端側に位置し、長手方向の基端が、前記筐体の長手方向の基端側であって前記筐体の厚さ方向の他端側に位置して、前記筐体の内部で前記筐体に設けられた基板と、
ケーブルの先端が前記基板の長手方向の中間部で前記各導電性素子に接続されており、前記ケーブルの基端にはプラグが設けられており、前記プラグの前記ケーブル側の部位が前記筐体内に位置し前記プラグの他の部位が前記筐体の基端から突出するようにして前記プラグが前記筐体の基端に設けられており、前記ケーブルが前記筐体の厚さ方向で前記基板とは反対側に位置して前記筐体の内部で延伸しているケーブル組立体と、
を有することを特徴とするアンテナ。
【請求項２】
請求項１に記載のアンテナにおいて、
前記筐体の厚さ方向から見たときに、前記ケーブルの長手方向の中間部が、前記基板から離れて、前記基板の長手方向に延びていることを特徴とするアンテナ。
【請求項３】
請求項２に記載のアンテナにおいて、
前記筐体の厚さ方向から見たときに、前記第２の導電性素子の前記第１の導電性素子側の部位は、前記ケーブル組立体のケーブルの中間部から離れた側で前記基板に設けられていることを特徴とするアンテナ。
【請求項４】
請求項２または請求項３に記載のアンテナにおいて、
前記筐体の内部には、前記筐体を補強するためのリブが設けられており、前記ケーブルは、前記リブによってガイドされている構成であることを特徴とするアンテナ。
【発明の詳細な説明】
【技術分野】
【０００１】
本発明は、アンテナに係り、特に、細長い筐体内に細長い基板が設けられているものに関する。
【背景技術】
【０００２】
従来、細長い四角柱状のケース（筐体）内に、導電性素子（アンテナ素子）が設けられている細長い基板を設け、上記アンテナ素子にケーブルを接続しているアンテナが知られている（たとえば、特許文献１参照）。
【先行技術文献】
【特許文献】
【０００３】
【特許文献１】特開２０１１−５５４６６号公報
【発明の概要】
【発明が解決しようとする課題】
【０００４】
しかしながら、従来のアンテナでは、ケーブルの一部が筐体（ケース）内で、基板に設けられているアンテナ素子の近傍でアンテナ素子と並行して延伸しているので、ケーブルに流れる電流によって発生する磁界等の影響をアンテナ素子が受けてしまい、送受信感度が悪化するという問題がある。
【０００５】
また、従来のアンテナでは、筐体の厚さ寸法の値が筐体の幅寸法の値に比べて小さい一定値になっているので、コネクタを設けるスペースが乏しく、従来のアンテナをそのまま他の機器（送信機や受信機）に設置することは難しく、他の機器への設置には、たとえば別途接続用の部品等が必要になるという問題がある。
【０００６】
そこで、従来のアンテナにおいて筐体の厚さを厚くし、長手方向の基端部に他の機器への設置のためのコネクタを設け、接続用の部品無しで、他の機器への設置ができるようにすることも考えられる。しかし、筐体の厚さを厚くすることで、筐体が大型化するとともに見た目のスマートさが失われるという問題がある。
【０００７】
本発明は、上記問題点に鑑みてなされたものであり、送信機や受信機等の機器に設置されて使用される細長い形状のアンテナにおいて、送受信の感度の悪化を防ぐことができ、筐体が大型化することを抑えることで見た目がスマートになり、しかも、機器への設置がしやすいアンテナを提供することを目的とする。
【課題を解決するための手段】
【０００８】
請求項１に記載の発明は、長手方向の先端側部位の厚さ寸法が、長手方向の基端側部位の厚さ寸法よりも小さくなっている筐体と、長手方向の先端側に第１の導電性素子が設けられ、長手方向の基端側に第２の導電性素子が設けられ、長手方向の先端が、前記筐体の長手方向の先端側であって前記筐体の厚さ方向の一端側に位置し、長手方向の基端が、前記筐体の長手方向の基端側であって前記筐体の厚さ方向の他端側に位置して、前記筐体の内部で前記筐体に設けられた基板と、ケーブルの先端が前記基板の長手方向の中間部で前記各導電性素子に接続されており、前記ケーブルの基端にはプラグが設けられており、前記プラグの前記ケーブル側の部位が前記筐体内に位置し前記プラグの他の部位が前記筐体の基端から突出するようにして前記プラグが前記筐体の基端に設けられており、前記ケーブルが前記筐体の厚さ方向で前記基板とは反対側に位置して前記筐体の内部で延伸しているケーブル組立体とを有するアンテナである。
【０００９】
請求項２に記載の発明は、請求項１に記載のアンテナにおいて、前記筐体の厚さ方向から見たときに、前記ケーブルの長手方向の中間部が、前記基板から離れて、前記基板の長手方向に延びているアンテナである。
【００１０】
請求項３に記載の発明は、請求項２に記載のアンテナにおいて、前記筐体の厚さ方向から見たときに、前記第２の導電性素子の前記第１の導電性素子側の部位は、前記ケーブル組立体のケーブルの中間部から離れた側で前記基板に設けられているアンテナである。
【００１１】
請求項４に記載の発明は、請求項２または請求項３に記載のアンテナにおいて、前記筐体の内部には、前記筐体を補強するためのリブが設けられており、前記ケーブルは、前記リブによってガイドされている構成であるアンテナである。
【発明の効果】
【００１２】
本発明によれば、送信機や受信機等の機器に設置されて使用される細長い形状のアンテナにおいて、送受信の感度の悪化を防ぐことができ、筐体が大型化することを抑えることで見た目がスマートになり、しかも、機器への設置がしやすくなるという効果を奏する。
【図面の簡単な説明】
【００１３】
【図１】本発明の実施形態に係るアンテナの実際の使用態様を示す図である。
【図２】本発明の実施形態に係るアンテナの基準となる使用態様を示す図である。
【図３】（ａ）は本発明の実施形態に係るアンテナの正面図であり、（ｂ）は左側面図であり、（ｃ）は右側面図であり、（ｄ）は上から（先端側から）の矢視図であり、（ｅ）は下から（基端側から）の矢視図である。
【図４】本発明の実施形態に係るアンテナの斜視図である。
【図５】本発明の実施形態に係るアンテナの正面図であって、先端側ケースの回動状態を示す図である。
【図６】図３（ａ）におけるＶＩ−ＶＩ断面を示す図である。
【図７】図３（ａ）に示す状態から第２のケースを除去した状態を示す図である。
【図８】本発明の実施形態に係るアンテナの筐体を構成する第１のケースを示す図であり、（ａ）は正面図であり、（ｂ）は（ａ）におけるＶＩＩＩＢ−ＶＩＩＩＢ断面図であり、（ｃ）は（ａ）におけるＶＩＩＩＣ−ＶＩＩＩＣ断面図である。
【図９】本発明の実施形態に係るアンテナの筐体を構成する第２のケースを示す図であり、（ａ）は正面図であり、（ｂ）は（ａ）におけるＩＸＢ−ＩＸＢ断面図であり、（ｃ）は（ａ）におけるＩＸＣ−ＩＸＣ断面図である。
【図１０】本発明の実施形態に係るアンテナの筐体を構成する基端側ケースを示す図であり、（ａ）は正面図であり、（ｂ）は左側面図であり、（ｃ）は上面図であり、（ｄ）は下面図であり、（ｅ）は（ａ）におけるＸＥ−ＸＥ断面を示す図であり、（ｆ）は（ｅ）におけるＸＦ−ＸＦ断面を示す図である。
【図１１】本発明の実施形態に係るアンテナのケーブル組立体を示す図であり、（ｂ）は（ａ）におけるＸＩＢ矢視図である。
【発明を実施するための形態】
【００１４】
本発明の実施形態に係るアンテナ１は、図１で示すように、絶縁監視装置３等の機器に設置されて使用されるものであり、アンテナ１を介して、絶縁監視装置３と基地局５との間で送受信がなされるようになっている。
【００１５】
アンテナ１は、図６等で示すように、筐体（ケース）７と基板９とケーブル組立体１１とを備えて構成されている。
【００１６】
筐体７は、細長い棒状に形成されている。以下、アンテナ１において、筐体７の長手方向に対して直交する所定の一方向を幅方向とし、筐体７の長手方向と幅方向とに対して直交する方向を厚さ方向とする。
【００１７】
筐体７は、基端側部位１３と先端側部位１５とを備えて構成されており、長手方向の先端側部位１５の厚さ寸法が、長手方向の基端側部位１３の厚さ寸法よりも小さくなっている（図３（ｂ）、（ｃ）、図６等参照）。
【００１８】
筐体７は、たとえば、非導電性の樹脂で構成されている。筐体７は、この長手方向で、先端から基端に向かい、先端側部位１５、中間部位１７、基端側部位１３がこの順につながってならんでいる。筐体７の外形形状は、一定の厚さの外皮１９によって形成されている。したがって、筐体７の内部には空間２１が形成されている。
【００１９】
筐体７の基端側部位１３の断面形状（長手方向に対して直交する平面による断面の形状）は、正方形状の「ロ」字状になっている。筐体７の先端側部位１５の断面形状（長手方向に対して直交する平面による断面の形状）は、長方形状の「ロ」字状になっている。筐体７の中間部位１７の断面形状（長手方向に対して直交する平面による断面の形状）も、長方形状の「ロ」字状になっている。
【００２０】
ただし、筐体７の先端側部位１５の断面の縦方向（筐体７の厚さ方向）の寸法は、筐体７の基端側部位１３の断面の縦方向（筐体７の厚さ方向）の寸法よりも小さくなっている。
【００２１】
筐体７の中間部位１７の断面の縦方向（筐体７の厚さ方向）の寸法は、基端側部位１３から先端側部位１５に向かうにしたがって次第に小さくなっている。さらに説明すると、筐体７の中間部位１７の断面の縦方向の寸法は、基端側部位１３と接している箇所では、基端側部位１３のものと等しくなっており、先端側部位１５と接している箇所では、先端側部位１５のものと等しくなっている。
【００２２】
筐体７の先端側部位１５の断面の横方向（筐体７の幅方向）の寸法と、筐体７の中間部位１５の断面の横方向（筐体７の幅方向）の寸法と、筐体７の基端側部位１３の断面の横方向（筐体７の幅方向）の寸法とはお互いが等しくなっている。
【００２３】
また、筐体７の長手方向から見ると、筐体７の先端側部位１５の断面の中心と、筐体７の中間部位１７の断面の中心と、筐体７の基端側部位１３の断面の中心とはお互いに一致している。
【００２４】
これにより、筐体７の厚さ方向から見ると、筐体７は、細長い矩形状になっている（図３（ａ）等参照）。また、筐体７の幅方向から見ると、中間部位１７は、テーパ状になっており、基端側部位１３は、テーパの大径部に隣接している長方形状になっており、先端側部位１５は、テーパの小径部に隣接している長方形状になっている（図３（ｂ），（ｃ）等参照）。
【００２５】
基板９には、図７等で示すように、第１の導電性素子（第１のアンテナ素子）２３と第２の導電性素子（第２のアンテナ素子）２５とが設けられている。第１の導電性素子２３は、基板９の長手方向の先端側に設けられており、第２の導電性素子２５は、基板９の長手方向の基端側に設けられている。
【００２６】
図６で示すように、基板９の長手方向の先端が筐体７の長手方向の先端側であって筐体７の厚さ方向の一端側に位置し、基板９の長手方向の基端が筐体７の長手方向の基端側であって筐体７の厚さ方向の他端側に位置して、基板９が、筐体７の内部で筐体７に一体的に設けられている。
【００２７】
基板９は、絶縁性の材料で細長い矩形な平板状に形成されている。
【００２８】
図７で示すように、筐体７の幅方向と基板９の幅方向とはお互いが一致している。また、アンテナ１（筐体７）の幅方向から見た場合、図６で示すように、基板９の長手方向の先端は、筐体７の長手方向の先端の近傍で筐体７の内壁（外皮１９の内面）に接しており、基板９の長手方向の基端は、筐体７の長手方向の中間部位１７の基端（中間部位１７と基端側部位１３との境界）の近傍で筐体７の内壁（外皮１９の内面）から僅かに離れている。なお、基板９の長手方向の基端が筐体７の長手方向の中間部位１７の基端の接している構成であってもよい。
【００２９】
そして、基板９は、長手方向が筐体７の長手方向に対して僅かに傾き、厚さ方向が筐体７の厚さ方向に対して僅かに傾いて、直線状に延びている。さらに、基板９の長手方向の中間部は、筐体７の中間部位１７における長手方向の先端（中間部位１７と先端側部位１５との境界）で筐体７の内壁（外皮１９の内面）からごく僅かに離れている。なお、基板９の長手方向の中間部が筐体７の内壁に接していてもよい。各導電性素子２３，２５は、薄い膜状になって、基板９の厚さ方向の一方の面（筐体７の厚さ方向の他端側の面）に設けられている。
【００３０】
ケーブル組立体１１は、図１１等で示すように、細長い線状のケーブル（たとえば同軸ケーブル）２７とプラグ２９とを備えて構成されている。そして、ケーブル２７の先端が基板９の長手方向の中間部（たとえば中央部）で各導電性素子２３，２５に（電気的に）接続されている。
【００３１】
ケーブル２７の基端にはプラグ（接続用端子部品）２９が設けられている。プラグ２９のケーブル２７側の部位が筐体７内に位置し、プラグ２９の他の部位が筐体７の基端から突出するようにして、プラグ２９が筐体の基端に（一体的に）設けられている。
【００３２】
ケーブル２７は、図６等で示すように、筐体７の内部で延伸している。また、ケーブル２７は、基板９から離れて、筐体７の厚さ方向で基板９とは反対側に位置している。
【００３３】
プラグ２９は、貫通孔を備えた中空なボルト３１とナット３３とを備えて構成されている。ボルト３１の頭部３５とナット３３とは六角柱状に形成されている。ボルト３１の頭部３５が筐体７の外に位置しており、ボルト３１の雄ネジ部３７が筐体７の外皮１９（長手方向基端の外皮）を貫通している貫通孔３９を通って、筐体７の内部に浸入している。ナット３３は、筐体７の内部に浸入しているボルト３１の雄ネジ部３７に螺合している。
【００３４】
そして、ボルト３１の雄ネジ部２７の基端に設けられている鍔部（筐体７の外部に存在している鍔部）３１とナット３３とで、筐体７の外皮１９を挟み込んでいることで、プラグ２９が筐体７と一体化している。ボルト３１の頭部３５は、ボルト３１の鍔部４１よりも、筐体７から離れている。筐体７の厚さ方向および幅方向において、筐体７の中心とプラグ２９の中心とがお互いに一致している。
【００３５】
プラグ２９を構成しているボルト３１の頭部３５の端には、アンテナ１が設置される機器３の端子が係合し、この係合によって、アンテナ１が、機器３に一体的に設置されるようになっている。ボルト３１の雄ネジ部３７の端からは、ケーブル２７が延出している。
【００３６】
筐体７や基板９の長手方向で基板９の中央部と基板９の基端との間に存在しているケーブル２７の部位（ケーブルの先端側部位）４３は、図６で示すように、筐体７の厚さ方向の一端側の内壁に接するかもしくはごく僅かに離れて、筐体７内を延伸している。したがって、アンテナ１（筐体７）の幅方向から見ると、基板９における長手方向の中央部と基端との間の部位（第２の導電性素子２５が設けられている部位）と、ケーブル２７の先端側部位４３とは、交差角度の小さい「Ｖ」字状になっている。
【００３７】
ケーブル２７の他の部位（基端側部位）４５は、ケーブル２７の先端側部位４３とプラグ２９との間で適宜曲げられて、基板９から離れ筐体７内（筐体７の基端側部位１３内）で延びている。
【００３８】
また、筐体７の基端側部位の内部空間２１は、厚さ方向の寸法と幅方向の寸法とが、プラグ２９のナット３３やボルト３１の頭部３５の外径よりも大きくなっており、しかも、ナット３３やボルト３１の頭部３５を回すための工具が入り込める寸法になっている。筐体７の先端側部位１５の内部空間は、厚さ方向の寸法が、プラグ２９のナット３３やボルト３１の頭部３５の外径よりも小さくなっている。
【００３９】
なお、上記説明では、プラグ２９のボルト３１の頭部３５が筐体７の外部に位置し、ナット３３が筐体７の内部に位置しているが、逆に、プラグ２９のボルト３１の頭部３５が筐体７の内部に位置し、ナット３３が筐体７の外部に位置するように、アンテナ１（ケーブル組立体１１）を構成してもよい。
【００４０】
アンテナ１を筐体７（アンテナ１）の厚さ方向から見ると、図７で示すように、ケーブル組立体１１のケーブル２７の長手方向（延伸方向）の中間部４９が、基板９から離れて、基板９（筐体７）の長手方向に延びている。
【００４１】
また、筐体７の厚さ方向から見ると、基板９は、筐体７の幅方向一端側に偏って設けられている。そして、筐体７の厚さ方向から見ると、基板９の幅方向の他端と、筐体７の幅方向の他端側の内面との間には、ケーブル２７の外径よりも僅かに広い幅の空間４７が形成されており、この空間４７の一部（長手方向の基端側の部位）を通って、ケーブル２７の中間部４９が延伸している。
【００４２】
ケーブル２７は、前述したように先端側部位４３と基端側部位４５とで形成されているが、ケーブル２７の中間部４９は、先端側部位４３のうちの基端側（プラグ２９側）よりの一部の部位と、基端側部位４５のうちの先端側よりの一部の部位とで形成されている。すなわち、ケーブル２７は、中間部４９を除く先端側部位４３と、中間部４９と、中間部４９を除く基端側部位４５とがこの順につながって、基板９からプラグ２９に向かって延びている。
【００４３】
さらに説明すると、筐体７の厚さ方向から見ると次のようになっている。ケーブル２７の先端は、回動ジョイント５１（図６参照）を介し、基板９の中央部（長手方向および幅方向の中央部）であって筐体７の厚さ方向の一端側の面で、各導電性素子２３，２５に接続されている。ケーブル２７の中間部４９を除く先端側部位４３は、斜めになって、中間部４９まで延伸している。ケーブル２７の中間部４９は、前述したように、基板９から離れて基板９の長手方向に直線的に延出している。ただし、ケーブル２７の中間部４９は、基板９の長手方向の基端よりもさらに筐体７の基端側に所定の長さだけ延びている。ケーブル２７の中間部４９を除く基端側部位４５は、ケーブル２７の中間部４９とプラグ２９との間で適宜曲げられて、基板９から離れ筐体７内（筐体７基端側部位１３内）で延びている。
【００４４】
また、筐体７の厚さ方向から見ると、筐体７の幅方向において、第１の導電性素子２３の第２の導電性素子２５側の部位が、ケーブル組立体１１のケーブル２７の中間部４９とは反対側で基板９に設けられている。
【００４５】
同様にして、筐体７の厚さ方向から見たときに、筐体７の幅方向において、第２の導電性素子２５の第１の導電性素子２３側の部位が、ケーブル組立体１１のケーブル２７の中間部４９とは反対側で基板９に設けられている。
【００４６】
詳しく説明すると、基板９の厚さ方向から見た場合、図７で示すように、第１の導電性素子２３は、矩形状の第１の部位５３と、矩形状の第２の部位５５と、矩形状の第３の部位５７と、矩形状の第４の部位５９と、矩形状の第５の部位６１とを備えて「Ｃ」字状に形成されている。
【００４７】
また、基板の厚さ方向から見ると、第１の導電性素子２３の第１の部位５３〜第５の部位６１の位置関係は次のようになっている。第１の部位５３は、基板９の長手方向先端側であって幅方向一端の近傍で、基板９の長手方向に長く延びている。第２の部位５５は、第１の部位５３の長手方向の先端から基板９の幅方向他端に向かって突出している。第３の部位５７は、基板９の幅方向他端の近傍で、第２の部位５５の端（第１の部位５３とは反対側の端）から、基板９の長手方向基端に向かって突出している。ただし、第３の部位５７の端（第２の部位５５とは反対側の端）は、第１の部位５３の長手方向の中央よりも第２の部位５５側に位置している。第４の部位５９は、第１の部位５３の長手方向の基端から基板９の幅方向他端に向かって第２の部位５５よりも短く突出している。第５の部位６１は、基板９の幅方向のほぼ中央部で、第４の部位５９の端（第１の部位５３とは反対側の端）から、基板９の長手方向先端に向かって突出している。ただし、第５の部位６１の端（第４の部位５９とは反対側の端）は、第１の部位５３の長手方向の中央よりも第２の部位５５側に位置している。また、第５の部位６１は第３の部位５７から僅かに離れている。
【００４８】
これにより、筐体７の厚さ方向から見ると、第１の導電性素子２３の第２の導電性素子側の部位（主に第５の部位６１）は、ケーブル組立体１１のケーブル２７の中間部４９とは反対側で基板９に設けられていることになる（基板９の幅方向で第５の部位６１は第３の部位５７よりもケーブル２７の中間部４９から離れている）。
【００４９】
また、基板９の厚さ方向から見ると、第２の導電性素子２５も、矩形状の第１の部位６３と、矩形状の第２の部位６５と、矩形状の第３の部位６７と、矩形状の第４の部位６９と、矩形状の第５の部位７１とを備えて「Ｃ」字状に形成されている。なお、第２の導電性素子２５は、第１の導電性素子２３から僅かに離れ、基板９の中心を通って幅方向に延びる中心線に対して第１の導電性素子２３と対称に配置されている。
【００５０】
すなわち、基板９の厚さ方向から見ると、第２の導電性素子２５の第１の部位６３〜第５の部位７１の位置関係は次のようになっている。第１の部位６３は、基板９の長手方向基端側であって幅方向一端の近傍で、基板９の長手方向に長く延びている。第２の部位６５は、第１の部位６３の長手方向の基端から基板９の幅方向他端に向かって突出している。第３の部位６７は、基板９の幅方向他端の近傍で、第２の部位６５の端（第１の部位６３とは反対側の端）から、基板９の長手方向先端に向かって突出している。ただし、第３の部位６７の端（第２の部位６５とは反対側の端）は、第１の部位６３の長手方向の中央よりも第２の部位６５側に位置している。第４の部位６９は、第１の部位６３の長手方向の先端から基板９の幅方向他端に向かって第２の部位６５よりも短く突出している。第５の部位７１は、基板９の幅方向のほぼ中央部で、第４の部位６９の端（第１の部位６３とは反対側の端）から、基板９の長手方向基端に向かって突出している。第５の部位７１の端（第４の部位６９とは反対側の端）は、第１の部位６３の長手方向の中央よりも第２の部位６５側に位置している。ただし、第５の部位７１は第３の部位６７から僅かに離れている。
【００５１】
これにより、筐体７の厚さ方向から見ると、第２の導電性素子２５の第１の導電性素子２３側の部位（主に第５の部位７１）は、ケーブル組立体１１のケーブル２７の中間部４９とは反対側で基板９に設けられていることになる（基板９の幅方向で第５の部位７１は第３の部位６７よりもケーブル２７の中間部４９から離れている。）。
【００５２】
また、筐体７の内部には、筐体７を補強するためのリブ７３が設けられており、ケーブル２７（特に、ケーブル２７の中間部４９）は、リブ７３によってガイドされている。
【００５３】
ケーブル２７の先端は、上述したように、回動ジョイント５１を介して、第１の導電性素子２３の第４の部位５９と、第２の導電性素子２５の第４の部位６９とに接続されている。また、ケーブル２７の内側導体（図示せず）が第２の導電性素子２５に接続されており、ケーブル２７の外側導体（図示せず）が第１の導電性素子２３に接続されている。
【００５４】
筐体７は、先端側ケース７５（第１のケース７７、第２のケース７９）と、基端側ケース（第３のケース）８１とで構成されている。基板９は先端側ケース７５内で先端側ケース７５に一体的に設けられており、プラグ２９は、基端側ケース８１に一体的設けられている。
【００５５】
先端側ケース７５を構成している一対の各ケース７７，７９同士は、お互いが係合して一体化しており、基端側ケース８１に対し、基端側ケース８１を通っている軸（幅方向では基端側ケース８１の中央を通り長手方向では先端側の部位を通り筐体７の厚さ方向に延びている軸）Ｃ１を回動中心にして、回動位置決め自在になっている（図５等参照）。
【００５６】
先端側ケース７５は、図５で示すように、基端側ケース８１に対して所定の方向に旋回し４５°、９０°の角度で位置決め固定されるようになっている。
【００５７】
なお、回動角度が０°の状態では、図５に参照符号Ｐ１で示すようになり、回動角度が４５°の状態では、図５に参照符号Ｐ２で示すようになり、回動角度が９０°の状態では、図５に参照符号Ｐ３で示すようになる。
【００５８】
先端側ケース７５は、成形のために、第１のケース７７（図８参照）と第２のケース７９（図９参照）とで構成されている。基板９は、第１のケース７７に第２のケース７９を設けるときに、各ケース７７，７９で挟まれて先端側ケース７５に固定されるようになっている。
【００５９】
リブ７３は、第１のケース７７の外皮１９の内側の面から突出しており、筐体７の長手方向に延びている。リブ７３は、筐体７の長手方向で複数の分断されている（図８（ａ）参照）。筐体７の幅方向におけるリブ７３と外皮１９との間の距離の値は、ケーブル２７の外径の値よりもごく僅かに小さくなっている。そして、リブ７３と外皮１９との間にケーブル２７を差し込むことで、ケーブル２７がガイドされ第１のケース７７に固定される。なお、リブ７３が筐体７の長手方向で複数の分断されていることで、リブ７３と外皮１９との間にケーブル２７を差し込むときにリブ７３が弾性変形しやすくなっており、リブ７３と外皮１９との間へのケーブル２７の差し込みがしやすくなっている。
【００６０】
アンテナ１によれば、基端側部位１３で厚く先端側部位１５で薄くなっている筐体７内に、導電性素子２３，２５が設けられている基板９を僅かに傾けて斜めに設け、基板９から延出している同軸ケーブル２７を基板９から離れるように僅かに斜め（基板９とは逆向きの斜め）に設けてあるので、同軸ケーブル２７に電流が流れて磁界が発生する等しても、この影響を基板９の各導電性素子２３，２５が受けにくくなっており、送信や受信の感度の悪化を防ぐことができる。
【００６１】
また、アンテナ１によれば、筐体７の厚さが基端側部位１３で厚く先端側部位１５で薄くなっているので、筐体７が大型化してしまうことが抑制されており、アンテナ１が見た目にもスマートになっている。
【００６２】
また、アンテナ１によれば、筐体７の厚さが基端側部位１３で厚くなっているので、ここにアンテナ１を設置するためのプラグ（コネクタ）２９を設けることができ、このプラグ２９を用いてアンテナ１を送信機や受信機等の機器３に直接設置することができ、アンテナ１の機器３への設置がしやすくなる。
【００６３】
また、アンテナ１によれば、上述した基板９とアンテナ１との「Ｖ」字形状による同軸ケーブル２７と基板９との離反の態様（図６参照）に加えて、アンテナ１の厚さ方向から見たときも、同軸ケーブル２７が基板９から離れているので（図７参照）、送受信の感度の悪化を一層抑制することができる。
【００６４】
また、アンテナ１によれば、アンテナ１（筐体７）の厚さ方向から見たとき、図７等で示すように、第２の導電性素子２５の第１の導電性素子２３側の部位（第５の部位７１）が、同軸ケーブル２７の中間部（アンテナの幅方向で他端側に位置している中間部）４９から離れた側で基板９に設けられているので（アンテナ１の幅方向で第５の部位７１が第３の部位６７よりも一端側に設けられているので）、これよっても、第２の導電性素子２５が同軸ケーブル２７から離れていることになり、アンテナ１における送受信の感度の悪化をさらに一層抑制することができる。
【００６５】
また、アンテナ１によれば、筐体７の内部には筐体７を補強するためのリブ７３が設けられており、同軸ケーブル２７がリブ７３によってガイドされているので、筐体７の構成を煩雑にすることなく、筐体７の剛性を高めることができ、しかも、同軸ケーブル２７を筐体７に確実に固定することができる。
【００６６】
アンテナ１によれば、同軸ケーブル２７の先端が回動ジョイント５１を介して各導電性素子２３，２５に接続されているので、ケーブル組立体１１が接続された基板９の筐体７への設置がしやすくなっている。
【００６７】
また、アンテナ１によれば、先端側ケース７５が基端側ケース８１に対して回動位置決め自在になっているので、アンテナ１の指向性を調整することが容易になる。
【００６８】
ここでアンテナ１の試験結果について説明する。
【００６９】
試験は、図１の状態と図２の状態とで行った。アンテナ１は、８００ＭＨｚ帯域の所定の周波数と、２ＧＨｚ帯域の所定の周波数とが共振周波数になっている。図１は、アンテナ１の実際の使用態様を示しており、専用アタッチメント８５を機器３の電源を使用して駆動し、アンテナ１から送信し基地局のアンテナ８３で受信している。図２は、アンテナ１の基準となる使用態様を示しており、専用アタッチメント８５を機器３の電源でなくて専用の冶具８７を使用して駆動し、アンテナ１から送信し基地局のアンテナ８３で受信している。
【００７０】
図２に示す態様では、８００ＭＨｚの帯域の周波数で送信したとき、従来と同様に基板とケーブルとがくっついているアンテナでは、受信感度が−１１１．６ｄＢｍであり、本発明の実施形態にかかるアンテナ１では、受信感度が−１１２．８ｄＢｍであり、大きな差はなかった。なお、受信感度は、その値の絶対値が大きいほど、感度が良いことを示している。
【００７１】
図１に示す実際の使用の態様では、８００ＭＨｚの周波数で送信したとき、従来と同様に基板とケーブルとがくっついているアンテナでは、受信感度が−９０．３ｄＢｍであり、本発明の実施形態にかかるアンテナ１では、受信感度が−１０１．３ｄＢｍであり、大きな差が出た。アンテナ１のほうが、受信感度が明らかに良くなっている。
【００７２】
なお、２ＧＨｚの帯域の周波数で送信したときには、受信感度の差は、ほとんどでなかった。
【符号の説明】
【００７３】
１  アンテナ
７  筐体
９  基板
１１  ケーブル組立体
１３  筐体の基端側部位
１５  筐体の先端側部位
２３  第１の導電性素子
２５  第２の導電性素子
２７  ケーブル
２９  プラグ
４９  中間部
７３  リブ
【図１】
2014131196.tif 000003
【図２】
2014131196.tif 000004
【図３】
2014131196.tif 000005
【図４】
2014131196.tif 000006
【図５】
2014131196.tif 000007
【図６】
2014131196.tif 000008
【図７】
2014131196.tif 000009
【図８】
2014131196.tif 000010
【図９】
2014131196.tif 000011
【図１０】
2014131196.tif 000012
【図１１】
2014131196.tif 000013